(57)【要約】【課題】簡易な構造で耐久性を有する構造でエスカレータのベルトを清掃することができるエスカレータ用クリーナーガイド及びそれを用いたエスカレータ用クリーナーセットを提供する。【解決手段】エスカレータ用クリーナーセット１００は、エスカレータ用クリーナーガイド１０の上面部のスプリング付丁番１４が設けられていることにより、走行するエスカレータのベルトにエスカレータ用クリーナーガイド１０及びパットＰをしっかりと保持することができる。パットＰは、マイクロブラシ状で吸水性のある素材の中央部分にハードでループ状材繊維を２ｃｍから３ｃｍの幅で接着または縫製したものを用いることができ、ループ状面にアクリル樹脂をバインダーとしてフッ素、シリコンなどを含浸させベルトに接触させることによりベルト面の汚れ等を清掃しながらベルト面をコーティングすることができる。【選択図】図２
0003225638.tif 000002
【実用新案登録請求の範囲】
【請求項１】
ベルトとベルト支えを有するエスカレータの前記ベルトを清掃するために用いるエスカレータ用クリーナーガイドであって、
一対の本体部と、前記１対の本体部を連結するスプリング付丁番を有し、
前記一対の本体部は、第１の本体と第２の本体を有し、
前記第１の本体は、第１のベルト上面覆い部と、第１のベルト側面覆い部と、第１のベルト支え覆い部を有し、
前記第２の本体は、第２のベルト上面覆い部と、第２のベルト側面覆い部と、第２のベルト支え覆い部を有し、
前記第１のベルト上面覆い部と前記第２のベルト上面覆い部のそれぞれの端部が連結するように前記スプリング付丁番で接続されており、
前記第１の本体と前記第２の本体を開くようにして、前記ベルトに嵌め込み、前記ベルトに嵌め込まれた状態で、前記第１のベルト支え覆い部と前記第２のベルト支え覆い部が、前記スプリング付丁番の付勢力により前記ベルト支えに固定されるように形成されていることを特徴とするエスカレータ用クリーナーガイド。
【請求項２】
前記第１のベルト支え覆い部と前記第２のベルト支え覆い部には、前記ベルト支えとの固定のために、吸盤シートまたは磁力付吸盤シートが貼り付けられていることを特徴とする請求項１に記載のエスカレータ用クリーナーガイド。
【請求項３】
請求項２に記載のエスカレータ用クリーナーガイドと、前記エスカレータ用クリーナーガイドの前記第１のベルト上面覆い部と前記第２のベルト上面覆い部と前記ベルトの上面の間に配置されるように形成されているパットを有するエスカレータ用クリーナーセットであって、
前記パットが前記配置され、且つ、前記スプリング付丁番の付勢力により前記ベルト支えに固定されている状態で、前記ベルトが清掃されるように形成されていることを特徴とするエスカレータ用クリーナーセット。
【請求項４】
前記パットは、マイクロブラシ状で吸水性を有し、アクリル樹脂をバインダーとしてフッ素及びシリコンが、含浸されていることを特徴とする請求項３に記載のエスカレータ用クリーナーセット。
【請求項５】
前記パットは、マイクロブラシ状で吸水性を有し、中央部分にループ状の繊維素材が、略２ｃｍから略３ｃｍの幅で接着または縫製されており、前記ループ状の繊維素材は、アクリル樹脂をバインダーとしてフッ素及びシリコンが含浸されていることを特徴とする請求項３に記載のエスカレータ用クリーナーセット。
【請求項６】
前記エスカレータ用クリーナーガイドの前記第１のベルト上面覆い部と前記第２のベルト上面覆い部には、前記パットを接着するように面ファスナーが貼り付けられていることを特徴とする請求項３から請求項５のいずれかに記載のエスカレータ用クリーナーセット。
【考案の詳細な説明】
【技術分野】
【０００１】
本考案は、エスカレータ用クリーナーガイド及びエスカレータ用クリーナーセットに関する。
【背景技術】
【０００２】
エスカレータのベルトに堆積した汚れの清掃は、清掃事業者などにより行われており、このような清掃は、例えば、エスカレータの稼働を停止させ行われているが、再稼働した場合に外周面の付着物がベルトの表面に転移するということもあり、エスカレータのベルトの清掃においてブラシを回転させて行うものが開示されている。
【先行技術文献】
【特許文献】
【０００３】
【特許文献１】特開２００７−１４５５６２号公報
【考案の概要】
【考案が解決しようとする課題】
【０００４】
従来のエスカレータのベルトの清掃に用いられる器具は、複雑で扱いが困難であり、より簡易な構成で効果的にエスカレータのベルトを清掃できるものが求められていた。そこで本考案は、このような課題を解決するためになされたもので、簡易な構造で耐久性を有する構造でエスカレータのベルトを清掃することができるエスカレータ用クリーナーガイド及びそれを用いたエスカレータ用クリーナーセットを提供することである。
【課題を解決するための手段】
【０００５】
上記課題を解決するために、本考案に係るエスカレータ用クリーナーガイドは、ベルトとベルト支えを有するエスカレータの前記ベルトを清掃するために用いるエスカレータ用クリーナーガイドであって、一対の本体部と、前記１対の本体部を連結するスプリング付丁番を有し、前記一対の本体部は、第１の本体と第２の本体を有し、前記第１の本体は、第１のベルト上面覆い部と、第１のベルト側面覆い部と、第１のベルト支え覆い部を有し、前記第２の本体は、第２のベルト上面覆い部と、第２のベルト側面覆い部と、第２のベルト支え覆い部を有し、前記第１のベルト上面覆い部と前記第２のベルト上面覆い部のそれぞれの端部が連結するように前記スプリング付丁番で接続されており、前記第１の本体と前記第２の本体を開くようにして、前記ベルトに嵌め込み、前記ベルトに嵌め込まれた状態で、前記第１のベルト支え覆い部と前記第２のベルト支え覆い部が、前記スプリング付丁番の付勢力により前記ベルト支えに固定されるように形成されていることを特徴とする。
【０００６】
本考案に係るエスカレータ用クリーナーガイドの態様について、前記第１のベルト支え覆い部と前記第２のベルト支え覆い部には、前記ベルト支えとの固定のために、吸盤シートまたは磁力付吸盤シートが貼り付けられていることが好ましい。
【０００７】
上記課題を解決するために、本考案に係るエスカレータ用クリーナーセットは、上記のエスカレータ用クリーナーガイドと、前記エスカレータ用クリーナーガイドの前記第１のベルト上面覆い部と前記第２のベルト上面覆い部と前記ベルトの上面の間に配置されるように形成されているパットを有するエスカレータ用クリーナーセットであって、前記パットが前記配置され、且つ、前記スプリング付丁番の付勢力により前記ベルト支えに固定されている状態で、前記ベルトが清掃されるように形成されていることを特徴とする。
【０００８】
本考案に係るエスカレータ用クリーナーセットの態様について、前記パットは、マイクロブラシ状で吸水性を有し、アクリル樹脂をバインダーとしてフッ素及びシリコンが、含浸されていることが好ましく、また、前記パットは、マイクロブラシ状で吸水性を有し、中央部分にループ状の繊維素材が、略２ｃＰから略３ｃＰの幅で接着または縫製されており、前記ループ状の繊維素材は、アクリル樹脂をバインダーとしてフッ素及びシリコンが含浸れていることが好ましい。
【０００９】
本考案に係るエスカレータ用クリーナーセットの態様について、前記エスカレータ用クリーナーガイドの前記第１のベルト上面覆い部と前記第２のベルト上面覆い部には、前記パットを接着するように面ファスナーが貼り付けられていることが好ましい。
【００１０】
本考案によれば、簡易な構造で耐久性を有する構造でエスカレータのベルトを清掃することができるエスカレータ用クリーナーガイド及びそれを用いたエスカレータ用クリーナーセットを提供することができる。
【図面の簡単な説明】
【００１１】
【図１】実施形態のエスカレータ用クリーナーガイドの一例を示す模式図である。
【図２】実用新案のエスカレータ用クリーナーセットの使用の一例を示す模式図である。
【考案を実施するための形態】
【００１２】
以下、本考案のエスカレータ用クリーナーガイド１０及びそれを用いたエスカレータ用クリーナーセット１００の実施形態について図１及び図２を用いて説明する。図１は、エスカレータ用クリーナーガイド１０を斜めから見た模式図であり、図２(ａ)、図２（ｂ）及び図２（ｃ）のそれぞれは、エスカレータ用クリーナーガイド１００の使用の一例を示す模式図である。これらの図は、本考案の一例を示すものであり、これらに限定されず適宜最適な構成にすればよい。
【００１３】
エスカレータ用クリーナーガイド１０は、ベルトとベルト支えを有するエスカレータのベルトを清掃するために用いるものであり、一対の本体部１１を有しており、一対の本体部１１を連結するスプリング付丁番１４を有している。一対の本体部１１は、第１の本体１２と第２の本体１３を有しており、スプリング付丁番１４により第１の本体１２と第２の本体１３が連結されるように形成されている。なお、エスカレータ用クリーナーガイド１０の素材は、ステンレス、鉄などの金属が望ましいが限定されず適宜最適な素材を用いればよい。
【００１４】
第１の本体１２は、第１のベルト上面覆い部１２ａと第１のベルト側面覆い部１２ｂと第１のベルト支え覆い部１２ｃを有し、また、第２の本体１３は、第２のベルト上面覆い部１３ａと第２のベルト側面覆い部１３ｂと第２のベルト支え覆い部１３ｃを有している。第１のベルト上面覆い部１２ａと第２のベルト上面覆い部１３ａのそれぞれの端部が連結するよう上記のスプリング付丁番１４で接続されている構成である。
【００１５】
上記の構成を有するエスカレータ用クリーナーガイド１０は、第１の本体１２と第２の本体１３を開くようにして、エスカレータのベルトに嵌め込めるように形成されており、エスカレータ用クリーナーガイド１０が、ベルトに嵌め込まれた状態で、第１のベルト支え覆い部１２ｃと第２のベルト支え覆い部１３ｃが、スプリング付丁番１４の付勢力によりエスカレータのベルト支えに固定されるように形成されている。
【００１６】
エスカレータ用クリーナーガイド１０は、第１のベルト支え覆い部１２ｃと第２のベルト支え覆い部１３ｃにおいて、エスカレータのベルト支えに対してより強く固定させるために、吸盤シートまたは磁力付吸盤シートが貼り付けられていてもよい。
【００１７】
次に、上記のエスカレータ用クリーナーガイド１０を用いたエスカレータ用クリーナーセット１００について説明する。エスカレータ用クリーナーセット１００は、エスカレータ用クリーナーガイド１０と、このエスカレータ用クリーナーガイド１０の第１のベルト上面覆い部１２ａと第２のベルト上面覆い部１３ａとエスカレータのベルトの上面との間に配置されるように形成されているパットＰを有している。
【００１８】
すなわち、パットＰが、第１のベルト上面覆い部１２ａと第２のベルト上面覆い部１３ａとエスカレータのベルトの上面との間に配置されている状態であり、且つ、スプリング付丁番１４の付勢力によりエスカレータのベルト支えにエスカレータ用クリーナーガイド１０が固定されている状態で、このパットＰを用いてエスカレータのベルトが清掃されるように形成されている。
【００１９】
パットＰは、例えば、マイクロブラシ状で吸水性を有し、アクリル樹脂をバインダーとしてフッ素及びシリコンが、含浸されている。パットＰは、一例として、１３０ｍｍＸ１３０ｍｍの大きさで厚さが５ｍｍから１０ｍｍのスポンジであり、両面がラミネートされており、クリーナ面は、マイクロブラシ＋アクリル極細繊維をパターン化したものにランダムにフッ素シリコン樹脂及びアクリル樹脂をバインダーとして含浸させたものである。
【００２０】
また、パットＰは、上記のとおりマイクロブラシ状で吸水性を有しており、中央部分にループ状の繊維素材が、略２ｃｍから略３ｃｍの幅で接着または縫製されていてもよく、このループ状の繊維素材は、アクリル樹脂をバインダーとしてフッ素及びシリコンが含浸されていてもよい。このようなループ状の繊維素材が、パットＰの中央部分に設けられていることにより、例えば、エスカレータのベルトの表面の強固な汚れが、このループ状の繊維に引っかけられることで取り除かれ、よりきれいに清掃することができる。
【００２１】
さらに、エスカレータ用クリーナーガイドの１０第１のベルト上面覆い部１２ａと第２のベルト上面覆い部１３ａには、パットＰが、接着するように面ファスナーが貼り付けられていてもよく、このようにすることでパットＰが、エスカレータ用クリーナーガイド１０と一体化できるという効果がある。
【００２２】
このようなエスカレータ用クリーナーセット１００は、マットＰに水または洗浄液などを含ませることでエスカレータのベルト面の汚れを取りながら摺動によりフッ素などを転写することができ防汚効果もあり、且つ、汚れも取り易くなるという優れた効果を有している。また、エスカレータ用クリーナーガイド１０は、マグネットに吸着シートがラミネートされている磁力付吸盤シートが設けられていることでエスカレータのベルト取り付け部材に吸着し強力にセットされガイドを安定して固定することができる。
【００２３】
さらに、エスカレータ用クリーナーセット１００は、エスカレータ用クリーナーガイド１０の上面部のスプリング丁番１４が設けられていることにより、走行するエスカレータのベルトにエスカレータ用クリーナーガイド１０及びパットＰをしっかりと保持することができる。また、上記のとおり、パットＰは、マイクロブラシ状で吸水性のある素材の中央部分にハードでループ状材繊維を２ｃｍから３ｃｍの幅で接着または縫製したものを用いることができ、上記のとおり強固な汚れに対しても引っかくということできれいに清掃することができる。さらに、そのループ状面にアクリル樹脂をバインダーとしてフッ素、シリコンなどを含浸させベルトに接触させることによりベルト面の汚れ等を清掃しながらベルト面をコーティングし、このベルト面をツルツルにしピカピカにすることができる。また、パットＰは、簡単で取り外しができ洗浄を繰り返して使用することができる優れたものである。
【００２４】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２５】
また、本考案のエスカレータ用クリーナーガイドおよびそれを用いたエスカレータ用クリーナーセットの大きさや形状、素材の厚さ、重さなどについては多様な実施形態が可能であり、それらについて本実施形態と異なる形態による実施は、本考案の技術的範囲に含まれる。
【符号の説明】
【００２６】
１００  エスカレータ用クリーナーセット
１０    エスカレータ用クリーナーガイド
１１    本体部
１２    第１の本体
１２ａ  第１のベルト上面覆い部
１２ｂ  第１のベルト側面覆い部
１２ｃ  第１のベルト支え覆い部
１３    第２の本体
１３ａ  第２のベルト上面覆い部
１３ｂ  第２のベルト側面覆い部
１３ｃ  第２のベルト支え覆い部
１４    スプリング付丁番
Ｐ      パット
【図１】
0003225638.tif 000003
【図２】
0003225638.tif 000004